(57)【要約】【課題】ケーブル導入時のケーブルクロージャの水密性の維持に優れたグロメットを提供する。【解決手段】グロメット１０は、外筒部材２０と、外筒部材２０の内径よりも小さい外径を有し、外筒部材の内側に配置されている内筒部材３０と、内筒部材３０の内径よりも小さい外径を有し、内筒部材３０の内側に配置されている円柱部材４０と、外筒部材２０の内周２２と内筒部材３０の外周３４とを水密に連結する第一の連結部２５と、内筒部材３０の内周３２と円柱部材４０の外周４１とを水密に連結する連結部３５と、を備えている。連結部２５は、外筒部材２０が延在する延在方向における外筒部材２０の中間部に配置され、連結部３５は、当該延在方向における内筒部材３０の中間部に配置されている。【選択図】図４
0003193564.tif 000002
【実用新案登録請求の範囲】
【請求項１】
外筒部材と、
前記外筒部材の内径よりも小さい外径を有し、前記外筒部材の内側に配置されている内筒部材と、
前記内筒部材の内径よりも小さい外径を有し、前記内筒部材の内側に配置されている円柱部材と、
前記外筒部材の内周と前記内筒部材の外周とを水密に連結する第一の連結部と、
前記内筒部材の内周と前記円柱部材の外周とを水密に連結する第二の連結部と、
を備え、
前記第一の連結部は、前記外筒部材が延在する延在方向における前記外筒部材の中間部に配置され、
前記第二の連結部は、前記延在方向における前記内筒部材の中間部に配置されている、グロメット。
【請求項２】
前記内筒部材は、大径内筒部材と、大径内筒部材の内径よりも小さい外径を有する少なくとも一つの細径内筒部材を含み、
前記大径内筒部材の内部に前記少なくとも一つの細径内筒部材が配置され、
前記少なくとも一つの細径内筒部材のうち最小の内径を有する細径内筒部材の内部に前記円柱部材が配置され、
前記大径内筒部材の内周と前記少なくとも一つの細径内筒部材の外周と、および前記少なくとも一つの細径内筒部材同士、が第三の連結部により水密に連結されている、請求項１に記載のグロメット。
【請求項３】
外筒部材と、
前記外筒部材の内径よりも小さい外径を有し、前記外筒部材の内側に配置されている内筒部材と、
前記内筒部材の内側を閉塞するように設けられた閉塞部材と、
前記外筒部材の内周と前記内筒部材の外周とを水密に連結する第一の連結部と、
を備え、
前記第一の連結部は、前記外筒部材が延在する延在方向における前記外筒部材の中間部に配置され、
前記閉塞部材は、前記延在方向における前記内筒部材の中間部に配置されている、グロメット。
【請求項４】
前記第一の連結部は、前記外筒部材の延在方向における両端からそれぞれ０．５ｍｍ以上離れている、請求項１から３のいずれか一項に記載のグロメット。
【請求項５】
前記内筒部材の外周面には、前記第一の連結部から前記内筒部材の端面の少なくとも一方に向けて傾斜したテーパ面が設けられている、請求項１から４のいずれか一項に記載のグロメット。
【請求項６】
前記グロメットはメガネ型の形状を有し、
両側のメガネ部分にそれぞれ前記外筒部材が形成されている、請求項１から５のいずれか一項に記載のグロメット。
【考案の詳細な説明】
【技術分野】
【０００１】
本考案は、ケーブルの接続部分を収容するケーブルクロージャのケーブル導入部に配設されるグロメットに関する。
【背景技術】
【０００２】
ケーブルクロージャと当該ケーブルクロージャに収納されるケーブルとの間を水密に保つために、ケーブルクロージャのケーブル導入部に配設されるグロメットが知られている（例えば、特許文献１参照）。特許文献１に記載のグロメットは、外側および内側に位置する２つの筒部材により形成され、このようにグロメットを２つの筒部材により形成することで径の異なるケーブルに対応することができる。
また、特許文献２には、外側および内側のシール材がその軸線方向に一端縁で薄い端壁により一体に成型されたケーブル接続部用シールブロックが開示されている。
【先行技術文献】
【特許文献】
【０００３】
【特許文献１】特開平９−３１２９２６号公報
【特許文献２】特公昭６１−２２５３８号公報
【考案の概要】
【考案が解決しようとする課題】
【０００４】
特許文献１において、外側の外筒部材と内側の内筒部材とは連結部により連結されており、グロメットに挿入されるケーブル径が太い場合には、連結部を切断して、外側の外筒部材から内側の内筒部材を切り離して、外筒部材にケーブルを装着することが可能である。
しかし、特許文献１では、外筒部材と内筒部材とを連結する連結部が、外筒部材と内筒部材との端部に形成されているため、内筒部材を切り離す際に、外筒部材と内筒部材との境界部で切断されずに、外筒部材の端面の一部まで切り離されてしまうおそれがある。
【０００５】
また、特許文献２においては、内側のシール材が不要である場合には薄い端壁から引きちぎって他のシール材が重合される。しかし、シール材同士を連結する端壁はシール材の端部にあるため、シール材を切離する際に外側のシール材の端部がはぎ取られてしまうおそれがある。
【０００６】
このように外筒部材あるいは外側のシール材の端面においてその一部が切離あるいは剥離されてしまうと、グロメットにケーブルを装着したときの密閉状態が十分ではなく水密性が保たれなくなるおそれがある。
【０００７】
本考案の目的は、ケーブル導入時のケーブルクロージャの水密性の維持に優れたグロメットを提供することにある。
【課題を解決するための手段】
【０００８】
上記課題を解決することのできる本考案のグロメットは、
外筒部材と、
前記外筒部材の内径よりも小さい外径を有し、前記外筒部材の内側に配置されている内筒部材と、
前記内筒部材の内径よりも小さい外径を有し、前記内筒部材の内側に配置されている円柱部材と、
前記外筒部材の内周と前記内筒部材の外周とを水密に連結する第一の連結部と、
前記内筒部材の内周と前記円柱部材の外周とを水密に連結する第二の連結部と、
を備え、
前記第一の連結部は、前記外筒部材が延在する延在方向における前記外筒部材の中間部に配置され、
前記第二の連結部は、前記延在方向における前記内筒部材の中間部に配置されている。
【０００９】
上記課題を解決することのできる本考案のグロメットは、
外筒部材と、
前記外筒部材の内径よりも小さい外径を有し、前記外筒部材の内側に配置されている内筒部材と、
前記内筒部材の内側を閉塞するように設けられた閉塞部材と、
前記外筒部材の内周と前記内筒部材の外周とを水密に連結する第一の連結部と、
を備え、
前記第一の連結部は、前記外筒部材が延在する延在方向における前記外筒部材の中間部に配置され、
前記閉塞部材は、前記延在方向における前記内筒部材の中間部に配置されている。
【考案の効果】
【００１０】
本考案によれば、ケーブル導入時のケーブルクロージャの水密性の維持に優れたグロメットを提供することができる。
【図面の簡単な説明】
【００１１】
【図１】本考案に係るグロメットを備えたクロージャの一実施形態を示す斜視図である。
【図２】図１のグロメットの斜視図である。
【図３】図２のＩ−Ｉ線断面図である。
【図４】図３のＩＶで囲まれた部分の拡大断面図である。
【図５】変形例１に係るグロメットの一部拡大断面図である。
【図６】変形例２に係るグロメットの一部拡大断面図である。
【図７】変形例３に係るグロメットの一部拡大断面図である。
【考案を実施するための形態】
【００１２】
[本考案の実施形態の説明]
最初に本考案の実施形態の内容を列記して説明する。
本考案の一の実施形態に係るグロメットは、
（１）外筒部材と、
前記外筒部材の内径よりも小さい外径を有し、前記外筒部材の内側に配置されている内筒部材と、
前記内筒部材の内径よりも小さい外径を有し、前記内筒部材の内側に配置されている円柱部材と、
前記外筒部材の内周と前記内筒部材の外周とを水密に連結する第一の連結部と、
前記内筒部材の内周と前記円柱部材の外周とを水密に連結する第二の連結部と、
を備え、
前記第一の連結部は、前記外筒部材が延在する延在方向における前記外筒部材の中間部に配置され、
前記第二の連結部は、前記延在方向における前記内筒部材の中間部に配置されている。
この構成によれば、第一の連結部が外筒部材の延在方向における外筒部材の中間部に配置されているため、径の太いケーブルをグロメットに装着するために第一の連結部を切断して内筒部材を外筒部材から切り離した際に、外筒部材の端面の一部まで切り取られてしまうおそれがない。また、第二の連結部が当該延在方向における内筒部材の中間部に配置されているため、径の細いケーブルをグロメットに装着するために第二の連結部を切断して円柱部材を内筒部材から切り離した際に、内筒部材の端面の一部まで切り取られてしまうおそれがない。そのため、ケーブルクロージャにケーブルを導入する際の密閉状態を悪化させる恐れがなく、ケーブルクロージャの水密性を確実に保つことができる。
【００１３】
（２）前記内筒部材は、大径内筒部材と、大径内筒部材の内径よりも小さい外径を有する少なくとも一つの細径内筒部材を含み、
前記大径内筒部材の内部に前記少なくとも一つの細径内筒部材が配置され、
前記少なくとも一つの細径内筒部材のうち最小の内径を有する細径内筒部材の内部に前記円柱部材が配置され、
前記大径内筒部材の内周と前記少なくとも一つの細径内筒部材の外周と、および前記少なくとも一つの細径内筒部材同士、が第三の連結部により水密に連結されていることが好ましい。
この構成によれば、より多くのケーブル径に合致したグロメットを提供することができる。
【００１４】
本考案の別の実施形態に係るグロメットは、
（３）外筒部材と、
前記外筒部材の内径よりも小さい外径を有し、前記外筒部材の内側に配置されている内筒部材と、
前記内筒部材の内側を閉塞するように設けられた閉塞部材と、
前記外筒部材の内周と前記内筒部材の外周とを水密に連結する第一の連結部と、
を備え、
前記第一の連結部は、前記外筒部材が延在する延在方向における前記外筒部材の中間部に配置され、
前記閉塞部材は、前記延在方向における前記内筒部材の中間部に配置されている。
この構成によれば、第一の連結部や閉塞部材を切断する際に、外筒部材や内筒部材の端部の一部まで切り取られてしまうおそれがなく、ケーブル導入時のケーブルクロージャの水密性を確実に保つことができる。
【００１５】
（４）前記第一の連結部は、前記外筒部材の延在方向における両端からそれぞれ０．５ｍｍ以上離れていることが好ましい。
この構成によれば、ケーブルクロージャの水密性をより確実に保つことができる。
【００１６】
（５）前記内筒部材の外周面には、前記第一の連結部から前記内筒部材の端面の少なくとも一方に向けて傾斜したテーパ面が設けられている。
この構成によれば、第一の連結部あるいは第二の連結部を切断する際に、作業者が刃先を第一の円筒空間部または第二の円筒空間部に導入しやすく、作業効率が向上する。
【００１７】
（６）前記グロメットはメガネ型の形状を有し、
両側のメガネ部分にそれぞれ前記外筒部材が形成されていることが好ましい。
この構成によれば、１つのグロメットで２本のケーブルをケーブルクロージャに導入することができる。
【００１８】
[本考案の実施形態の詳細]
以下、本考案に係るグロメット及びそれを備えたクロージャの実施形態の例を、図面を参照して説明する。
図１に示すように、ケーブルクロージャ１は、ケース本体２を備え、その内部がケーブル収容空間３とされている。ケーブル収容空間３にはスプリッタトレイあるいは成端トレイ等からなるトレイ本体４が設置されるとともに、光ケーブルなどから構成されるケーブル（図示は省略）と他のケーブルとの接続部分が収容される。なお、ケーブル収容空間３にトレイ本体４が収容された状態で、不図示の蓋によりケース本体２の上部が塞がれて、ケーブルクロージャ１の密閉性が保たれる。
【００１９】
ケーブルクロージャ１の両端部には、ケーブル導出入部５，６が設けられており、このケーブル導出入部５，６で、ケーブルが導出入可能とされている。
このケーブル導出入部５，６には、弾性を有する樹脂材料で形成されたグロメット１０が取り付けられている。グロメット１０がケーブルに密着することで、ケーブルを伝ってケーブルクロージャ１のケーブル収容空間３内に雨水等が浸入することが防止されている。
【００２０】
次に、本考案に係るグロメット１０の構造を説明する。
図２に示すように、グロメット１０は、円形状のケーブル収容部１１が２つ併設されたメガネ型の形状を有している。両ケーブル収容部１１は接続部１２により連結され、各ケーブル収容部１１にそれぞれケーブルを挿入可能である。
【００２１】
図２から図４に示すように、各ケーブル収容部１１は、外筒部材２０、内筒部材３０、円柱部材４０を有している。
外筒部材２０は、ケーブル収容部１１の最外層部を構成する円筒形の部材であって、その筒内に円筒空間部２１を有している。外筒部材２０の内周２２は、その端面２３に対して垂直な面となっている。
【００２２】
内筒部材３０は、外筒部材２０の内径よりも小さい外径を有する円筒形の部材であって、外筒部材２０の内側、すなわち円筒空間部２１内に配置されている。内筒部材３０の筒内は、円筒空間部３１を構成している。内筒部材３０の内周３２は、その端面３３に対して垂直な面となっている。
【００２３】
外筒部材２０と内筒部材３０の間には、連結部２５（第一の連結部）が設けられている。連結部２５は内筒部材３０の外周３４の全体を囲むように設けられている。これにより、外筒部材２０の内周２２と内筒部材３０の外周３４とが水密に連結されている。連結部２５は、外筒部材２０が延在する方向において外筒部材２０の中間部に配置されている。たとえば、連結部２５は、外筒部材２０の延在方向における両端からそれぞれ０．５ｍｍ以上離れていることが好ましい。より好ましくは、連結部２５が、外筒部材２０の両端からそれぞれ１．０ｍｍ以上離れているのが良い。
また、内筒部材３０の外周３４には、連結部２５から内筒部材３０の片端面に向けて傾斜したテーパ面３４ａが設けられている。
【００２４】
円柱部材４０は、内筒部材３０の内径よりも小さい外径を有する円柱状の部材であって、内筒部材３０の内側、すなわち円筒空間部３１内に配置されている。
【００２５】
内筒部材３０と円柱部材４０との間には、連結部３５（第二の連結部）が設けられている。連結部３５は円柱部材４０の外周４１全体を囲むように設けられている。これにより、内筒部材３０の内周３２と円柱部材４０の外周４１とが水密に連結されている。連結部３５は、外筒部材２０の延在方向において内筒部材３０の中間部に配置されている。たとえば、連結部３５は、内筒部材３０の延在方向における両端からそれぞれ０．５ｍｍ以上離れていることが好ましい。より好ましくは、連結部３５が、内筒部材３０の両端からそれぞれ１．０ｍｍ以上離れているのが良い。
また、円柱部材４０には、連結部３５から円柱部材４０の両端面側に向けて傾斜したテーパ面４１ａ，４２が設けられている。これにより、円柱部材４０は、その延在方向における両側に向けて先細りとなっている。円柱部材４０のテーパ面４２が設けられた側の端部は、円筒空間部３１の片側の端面から外側に突出している。
【００２６】
ケーブルクロージャ１には様々な径のケーブルを収容することが可能である。たとえば、ケーブルが太い場合には、作業者が刃先を円筒空間部２１内に挿入して連結部２５を切断し、内筒部材３０および円柱部材４０を外筒部材２０から切り離すことにより、外筒部材２０の円筒空間部２１内にケーブルを装着することができる。一方、ケーブルが細い場合には、作業者が刃先を円筒空間部３１内に挿入して連結部３５を切断し、円柱部材４０を内筒部材３０から切り離すことにより、内筒部材３０の円筒空間部３１内にケーブルを装着することができる。
【００２７】
上記説明したように、本考案に係るグロメット１０では、外筒部材２０と内筒部材３０とを連結する連結部２５が、外筒部材２０が延在する方向において外筒部材２０の中間部に配置されている。そのため、連結部２５を切断して内筒部材３０を外筒部材２０から切り離す際に、外筒部材２０の端面２３の一部まで切り取られてしまうおそれがない。
同様に、内筒部材３０と円柱部材４０とを連結する連結部３５が、外筒部材２０が延在方向において内筒部材３０の中間部に配置されている。そのため、連結部３５を切断して円柱部材４０を内筒部材３０から切り離す際に、内筒部材３０の端面３３の一部まで切り取られてしまうおそれがない。
【００２８】
したがって、径の異なるケーブルを挿入するために、連結部２５あるいは連結部３５を切断しても、グロメット１０へケーブルを挿入したときの密閉状態を悪化させることなく、ケーブルクロージャ１の水密性を確実に保つことができる。
なお、万が一、連結部２５の外筒部材２０側の部分が残存せずに、連結部２５の周囲の外筒部材２０がはぎ取られた場合であっても、その剥ぎ取られた箇所の周囲の部分によって、ケーブルと外筒部材２０との密閉状態は維持されるため、水密性が損なわれるおそれはない。連結部３５を切断する場合も同様である。
【００２９】
また、本実施形態に係るグロメット１０では、内筒部材３０の外周３４および円柱部材４０の外周４１に、それぞれテーパ面３４ａ，４１ａが設けられているため、連結部２５または連結部３５を切断する際に、作業者が刃先を円筒空間部２１または円筒空間部３１に導入しやすく、作業効率が向上する。一方、外筒部材２０の内周２２および内筒部材３０の内周３２は各端面２３，３３に対して垂直な面となっているため、連結部２５，３５の切断時において、その外側にある外筒部材２０あるいは内筒部材３０の剥ぎ取りを防止することができる。
【００３０】
また、円柱部材４０は、その延在方向の片側にテーパ面４２を備え、当該テーパ面４２の端部が円筒空間部３１から外側に突出している。そのため、連結部３５を切断して円柱部材４０を切り取る際に、突出したテーパ面４２を把持して円柱部材４０をグロメット１０から容易に切り離すことができる。
【００３１】
上記実施の形態においては、内筒部材３０と円柱部材４０とを連結する連結部３５は、円柱部材４０の延在方向における円柱部材４０の中間部に配置されているが、この構成に限られない。
例えば、図５に示す変形例１に係るグロメット１００のように、連結部３５は、円柱部材１４０の延在方向における端部に設けられていてもよい。すなわち、図５に示すように、円柱部材１４０の片側の端面１４１は、外筒部材２０および内筒部材３０の端面２３，３３と面一ではなく、外筒部材２０および内筒部材３０の端面２３，３３よりも内側に凹んだ状態で配置されていてもよい。
このように、連結部３５が円柱部材１４０の延在方向における端部に設けられている変形例１においても、内筒部材３０の中間部に連結部３５が設けられているため、連結部３５を切断する際に内筒部材３０の端面３３の一部を切り取ってしまうおそれはなく、ケーブルクロージャ１の水密性を保つことができる。
【００３２】
また、図６に示すように、グロメット２００は、外筒部材２０の内部に複数の内筒部材２３０が設けられた構成であってもよい。
図６の変形例２においては、内筒部材２３０として、大径内筒部材２３１と、大径内筒部材２３１の内径よりも小さい外径を有する細径内筒部材２３２を備えている。大径内筒部材２３１の内側に細径内筒部材２３２が配置されるとともに、細径内筒部材２３２の内側に円柱部材４０が配置されている。連結部２５および連結部３５と同様に、大径内筒部材２３１の内周と細径内筒部材２３２の外周とは連結部２３５（第三の連結部）により水密に連結されている。
【００３３】
なお、図６においては、細径内筒部材２３２が一つ設けられた構成となっているが、細径内筒部材２３２は複数設けられていてもよい。そのとき、円柱部材４０は、細径内筒部材２３２のうち最小の内径をもつ細径内筒部材２３２の内径よりも小さい外径を有し、当該最小の細径内筒部材２３２の内側に配置される。
【００３４】
このように、変形例２においては複数の内筒部材２３０（２３１，２３２）が設けられているため、より多くのケーブル径に合致したグロメット２００を提供することができる。
【００３５】
また、上記実施の形態においては、ケーブル収容部１１の最内層に円柱部材４０を設けた構成としているが、これに限られない。たとえば、図７に示す変形例３のように、内筒部材３０の円筒空間部３３１を閉塞する薄い閉塞部材３４０を設ける構成としてもよい。閉塞部材３４０は、上記実施形態の連結部３５と同様に、内筒部材３０の延在方向における中間部に配置されていることが好ましい。
この構成によれば、ケーブル挿入時に閉塞部材３４０を内筒部材３０から切り離す際に、内筒部材３０の端面３３の一部まで切り取られてしまうおそれがなく、グロメット３００とケーブルとの密閉状態を維持することができる。
【００３６】
なお、上記実施の形態に係るグロメット１０は、円形状のケーブル収容部１１が２つ併設されたメガネ型の形状を有しているが、この構成に限られない。たとえば、ケーブル収容部１１が１つのみ、あるいは３つ以上のものであってもよい。
【００３７】
以上、本考案を詳細にまた特定の実施態様を参照して説明したが、本考案の精神と範囲を逸脱することなく様々な変更や修正を加えることができることは当業者にとって明らかである。また、上記説明した構成部材の数、位置、形状等は上記実施の形態に限定されず、本考案を実施する上で好適な数、位置、形状等に変更することができる。
【符号の説明】
【００３８】
１：ケーブルクロージャ、２：ケース本体、３：ケーブル収容空間、４：トレイ本体、５，６：ケーブル導出入部、１０：グロメット、１１：ケーブル収容部、２０：外筒部材、２１：円筒空間部、２５：連結部（第一の連結部）、３０：内筒部材、３１：円筒空間部、３２ａ：テーパ面、３５：連結部（第二の連結部）、４０：円柱部材、２３１：大径内筒部材、２３２：細径内筒部材、３４０：閉塞部材
【図１】
0003193564.tif 000003
【図２】
0003193564.tif 000004
【図３】
0003193564.tif 000005
【図４】
0003193564.tif 000006
【図５】
0003193564.tif 000007
【図６】
0003193564.tif 000008
【図７】
0003193564.tif 000009